(57)【要約】【課題】信号配線導体の特性インピーダンスを５０Ω±１０％の範囲に制御して反射ノイズを低減し、高周波信号を良好に伝送できる配線基板およびこれを用いた電子装置を提供する。【解決手段】絶縁基板１の主面に、互いに隣接して延びる少なくとも一対のペア信号配線導体３と接地または電源導体層４とを、ペア信号配線導体３の上下にエポキシ樹脂および無機絶縁フィラーを含有して成る誘電率が３．５〜４．５の絶縁層２を介して接地または電源導体層４が対向するようにして積層して成る配線基板において、ペア信号配線導体３と接地または電源導体層４との間の絶縁層２は、その一方の厚みＴがペア信号配線導体の幅Ｗの３倍以上であるとともに他方の厚みＴがペア信号配線導体の幅Ｗと同等であり、かつペア信号配線導体の配線間隔Ｓがペア信号配線導体の幅Ｗ以下である。【選択図】  図２
2004241496.tif 000002
【特許請求の範囲】
【請求項１】
絶縁基板の主面に、互いに隣接して延びる少なくとも一対のペア信号配線導体と接地または電源導体層とを、前記ペア信号配線導体の上下にエポキシ樹脂および無機絶縁フィラーを含有して成る誘電率が３．５〜４．５の絶縁層を介して前記接地または電源導体層が対向するようにして積層して成る配線基板において、前記ペア信号配線導体と前記接地または電源導体層との間の絶縁層は、その一方の厚みが前記ペア信号配線導体の幅の３倍以上であるとともに他方の厚みが前記ペア信号配線導体の幅と同等であり、かつ前記ペア信号配線導体の配線間隔が前記ペア信号配線導体の幅以下であることを特徴とする配線基板。
【請求項２】
請求項１記載の配線基板の表面に前記ペア信号配線導体および前記接地または電源導体層と接続される電子部品接続パッドを設けるとともに該電子部品接続パッドに前記配線基板に搭載した電子部品の電極を接続して成ることを特徴とする電子装置。
【発明の詳細な説明】
【０００１】
【発明の属する技術分野】
本発明は、半導体素子等の電子部品を実装するために用いられる配線基板およびこの配線基板に電子部品を実装して成る電子装置に関するもので、特に電気特性を考慮し配線効率を向上した配線基板に関する。
【０００２】
【従来の技術】
一般に現在の電子装置は、高速化、大容量伝送化が顕著になってきている。それに伴い電子装置に搭載される配線基板およびパッケージは電気的ロスの少ない形態が要求されている。また、電子装置を構成する配線基板にも小型化・薄型化・多端子化が求められてきており、それを実現するために信号配線導体等の導体層の幅を細くするとともにその間隔を狭くし、さらに配線の多層化・配線間を接続する貫通導体の小径化により高密度配線化が図られている。
【０００３】
このような高密度配線が可能な配線基板として、ビルドアップ法を採用して製作された配線基板が知られている。ビルドアップ法とは、例えば、ガラスクロスやアラミド不布織等の補強材に耐熱性や耐薬品性を有するエポキシ樹脂に代表される熱硬化性樹脂を含浸させて複合化した絶縁基板上に、間に導体層を挟んでエポキシ樹脂等の熱硬化性樹脂から成る接着材を塗布して絶縁層を形成するとともに絶縁層を加熱硬化させた後、配線導体層上部の絶縁層にレーザで径が５０〜２００μｍ程度の貫通孔を穿設し、しかる後、絶縁層表面を化学粗化し、さらに無電解銅めっき法および電解銅めっき法を用いて貫通孔側面および貫通孔底面の導体層上に導体膜を被着して貫通導体を形成するとともに絶縁層表面に貫通導体と接続する導体層を形成し、さらに、絶縁層や貫通導体・導体層の形成を複数回繰り返すことにより配線基板を製作する方法である。
【０００４】
このような配線基板の導体層は、用途によって、信号配線導体および接地または電源導体層に機能化されている。このうち信号配線導体は、電子部品に出入力される電気信号を外部の電気回路基板に伝播させるための導電路としての機能を有し、所定の回路形状にパターン化した薄膜導体から構成されている。
【０００５】
他方、接地または電源導体層は、配線基板に実装される半導体素子等の電子部品に接地または電源電位を供給する機能を有し、信号配線導体を流れる電流によって発生する電磁波をシールドし、他の配線層に生じるノイズを防止する機能を有し、絶縁層の略全面をめっきしたベタパターンの薄膜導体から成る。このような役割を担う接地または電源導体層および信号配線導体は、それぞれ配線基板の表面に設けた電子部品接続用の電子部品接続パッドに貫通導体を介して電気的に接続され、配線基板に実装される電子部品への電磁波のシールド・電力の供給あるいは信号の伝達を行うことができるような積層構造に配置されている。また、信号配線導体は上下に絶縁層を挟んで接地または電源導体層が対向するように積層されている。
【０００６】
また信号配線は、電子部品が誤作動することがないように、信号遅延や反射・クロストーク・ノイズ等の伝達ロスを低減させることが重要な課題となっている。このような信号配線は、高周波信号を伝達させるために、一般的に差動（波長の位相が異なる）信号を使用するのでペア（対）信号配線導体として形成されている。
【０００７】
そして、ペア信号配線導体は、その配線幅が２０〜３０μｍ程度、その配線間隔が４０〜６０μｍの微細パターンであるので、この特性インピーダンスを配線基板に一般に要求される５０Ω±１０％の範囲に制御するために、絶縁層はその厚みが２０〜５０μｍに、誘電率は３．５〜４．５に調整されている。
【０００８】
【特許文献１】
特開２００１−３２６５０５号公報
【０００９】
【発明が解決しようとする課題】
しかしながら、この従来の配線基板は、近年の高密度配線への要求に伴いペア信号配線導体の配線間隔を狭くすると、ペア信号配線導体間の容量結合によるキャパシタンスが大きくなり過ぎるため、ペア信号配線導体の特性インピーダンを５０Ω±１０％の範囲に制御できない。このように特性インピーダンスの制御とペア配線導体の高密度配線との両立が難しいという問題を有していた。
【００１０】
本発明は、かかる従来技術の問題点に鑑み完成されたものであり、その目的はペア信号配線導体の幅に対する絶縁層を厚みおよびペア信号配線導体の配線間隔を制御することより、ペア信号配線導体の特性インピーダンスを５０Ω±１０％の範囲に制御するとともに高密配線が可能な配線基板およびこれを用いた電子装置を提供することにある。
【００１１】
【発明が解決するための手段】
本発明の配線基板は、絶縁基板の主面に、互いに隣接して延びる少なくとも一対のペア信号配線導体と接地または電源導体層とを、ペア信号配線導体の上下にエポキシ樹脂および無機絶縁フィラーを含有して成る誘電率が３．５〜４．５の絶縁層を介して接地または電源導体層が対向するようにして積層して成る配線基板において、ペア信号配線導体と接地または電源導体層との間の絶縁層は、その一方の厚みがペア信号配線導体の幅の３倍以上であるとともに他方の厚みがペア信号配線導体の幅と同等であり、かつペア信号配線導体の間隔がペア信号配線導体の幅以下であることを特徴とするものである。
【００１２】
本発明の電子装置は、上記の配線基板の表面に信号配線導体と接続される電子部品接続パッドを設けるとともにこの電子部品接続パッドに配線基板に搭載した電子部品の電極を接続して成ることを特徴とする。
【００１３】
本発明の配線基板および電子装置によれば、ペア信号配線導体と接地または電源導体層との間の絶縁層は、その一方の厚みがペア信号配線導体の幅の３倍以上であるとともに他方の厚みがペア信号配線導体の幅と同等であり、かつペア信号配線導体の間隔をペア信号配線導体の幅以下としたことから、ペア信号配線導体と接地または電源導体層およびペア信号配線導体同士のキャパシタンスを制御して、ペア信号配線導体の特性インピーダンスを５０Ω±１０％の範囲に制御するとともにペア信号配線導体の配線間隔が狭くできるので高密度配線が可能な配線基板および電子装置とすることができる。
【００１４】
【発明の実施の形態】
次に、本発明の配線基板およびこれを用いた電子装置を添付の図面に基づいて詳細に説明する。
【００１５】
図１は、本発明の配線基板に電子部品を実装して成る電子装置の実施形態の一例を示す断面図であり、図２は、その要部拡大断面図である。
【００１６】
これらの図において、１は絶縁基板、２は絶縁層、３はペア信号配線導体、４は接地または電源導体層、５は電子部品接続パッドで、主にこれらで本発明の配線基板が構成される。また、この配線基板に電子部品６を搭載し、これを電子部品接続パッド５に半田等を介して電気的に接続することにより本発明の電子装置と成る。
【００１７】
本発明の配線基板は、電子部品６を支持する支持部材としての機能を有し、絶縁基板１の表面および／または裏面の主面に複数の絶縁層２と導体層とを複数積層することによって形成されている。導体層はペア信号配線導体３と接地または電源導体層４とから構成される。
【００１８】
配線基板を構成する絶縁基板１は、絶縁層２の支持体としての機能を有し、例えばガラスクロス−エポキシ樹脂やガラスクロス−ビスマレイミドトリアジン樹脂・ガラスクロス−ポリフェニレンエーテル樹脂・アラミド繊維−エポキシ樹脂等の樹脂材料から成り、常法により製作される。また、絶縁基板１の主面には、接地または電源導体層４が被着形成されており、これらの接地または電源導体層４を絶縁基板１の内部に形成されたスルーホール導体１ａに電気的に接続している。さらに、絶縁基板１の主面には、ペア信号配線導体３と接地または電源導体層４とを、ペア信号配線導体３の上下に絶縁層２を介して接地または電源導体層４が対向するようにして積層している。
【００１９】
絶縁層２は、ペア信号配線導体３や接地または電源導体層４を支持する支持部材として機能し、例えばエポキシ樹脂やビスマレイミドトリアジン樹脂・ポリフェニレンエーテル樹脂等の熱硬化性樹脂と無機絶縁性フィラーとからなり、さらに耐クラック性を付与するためにエラストマーを加えてもよい。なお、このような絶縁層２の誘電率は３．５〜４．５に調整されている。
【００２０】
このような絶縁層２は、例えばエポキシ樹脂と熱可塑性樹脂・エラストマー・無機絶縁性フィラーに溶剤等を添加した混合物を混練して液状ワニスを得、この液状ワニスをポリエチレンテレフタレート（ＰＥＴ）製離型シート上に塗布し、６０〜１００℃の温度で乾燥することによりフィルム状に成形し、このフィルムを絶縁基板１の表面に真空ラミネータを用いて圧着し、オーブンで熱硬化することにより積層される。また、絶縁層２には、炭酸ガスレーザやＹＡＧレーザ・ＵＶレーザ等の従来周知のレーザを用いて直径が３０〜３００μｍ程度の貫通孔７が形成されているとともに、その内部に銅や金・ニッケル・アルミニウム等の金属薄膜を被着することにより、上下に位置する導体層等同士を電気的に接続する貫通導体８が形成されている。
【００２１】
絶縁層２の表面には、ペア信号配線導体３および接地または電源導体層４から成る導体層が被着形成されている。導体層は、配線基板に搭載される電子部品６を外部電気回路基板（図示せず）に電気的に接続する導電路としての機能を有する。
【００２２】
なお、接地または電源導体層４は、設計上必要な絶縁基板１および絶縁層２の略全面にはベタパターン状に形成されている。
【００２３】
ペア信号配線導体３や接地または電源導体層４・貫通配線８を形成する金属材料としては、電気抵抗値が低いという観点からは銅や金・ニッケル・アルミニウム等の金属が好ましく、安価という観点からは銅が好ましい。なお、金属薄膜の厚みは、高速の信号を伝達させるという観点からは３μｍ以上であることが好ましく、金属薄膜を絶縁基板１や絶縁層２に被着形成する際に金属薄膜に大きな応力を残留させず、金属薄膜が絶縁基板１や絶縁層２から剥離しにくいものとするためには３０μｍ以下としておくことが好ましい。
【００２４】
そして、本発明の配線基板においては、ペア信号配線導体３と接地または電源導体層４との間の絶縁層２は、その一方の厚みＴ１がペア信号配線導体３の幅Ｗの３倍以上であるとともに他方の厚みＴ２がペア信号配線導体の幅Ｗと同等であり、かつペア信号配線導体の配線間隔Ｓがペア信号配線導体の幅Ｗ以下であることが重要である。
【００２５】
本発明の配線基板によれば、ペア信号配線導体３と接地または電源導体層４との間の絶縁層１は、その一方の厚みＴ１がペア信号配線導体の幅Ｗの３倍以上であるとともに他方の厚みＴ２がペア信号配線導体の幅Ｗと同等であり、かつペア信号配線導体の間隔Ｓがペア信号配線導体の幅Ｗ以下としたことから、ペア信号配線導体３と接地または電源導体層４およびペア信号配線導体３同士のキャパシタンスを制御して、ペア信号配線導体３の特性インピーダンスを５０Ω±１０％の範囲に制御するとともにペア信号配線導体の配線間隔Ｓが狭くできるので高密度配線が可能な配線基板および電子装置とすることができる。
【００２６】
ペア信号配線導体３と接地または電源導体層４との間の絶縁層１は、その一方の厚みＴ１をペア信号配線導体の幅Ｗの３倍未満とするとともに他方の厚みＴ２をペア信号配線導体の幅Ｗ未満とすると、ペア信号配線導体３と接地または電源導体層４とのキャパシタンスが大きくなり、特性インピーダンスを５０Ω±１０％の範囲に制御するにはペア信号配線導体３の配線間隔Ｓを広げる必要があり、高密度配線が困難となる傾向にある。従って、ペア信号配線導体の間隔Ｓをペア信号配線導体の幅Ｗ以下とする高密度配線を行うには、ペア信号配線導体３と接地または電源導体層４との間の絶縁層１は、その一方の厚みＴ１をペア信号配線導体の幅Ｗの３倍以上とするとともに他方の厚みＴ２をペア信号配線導体の幅Ｗと同等にしなければならない。また、ビルドアップ配線基板ような高密度なペア信号配線導体では、配線幅Ｗが２０〜４０μｍと細いのでキャパシタンスを発生させるマイクロストリップ構造とするには、少なくとも片方の絶縁層の厚みＴをペア信号配線導体の幅Ｗと同等にしなければならない。
【００２７】
このようなペア信号配線導体３および接地または電源導体層４の金属薄膜は、次に述べる方法により形成される。まず、絶縁層２の所望の個所に、例えば炭酸レーザを用いて貫通孔を形成した後に、絶縁層２の表面および貫通孔７の内壁を過マンガン酸塩類水溶液等の粗化液に浸漬して粗化する。次に、絶縁層２の表面および貫通孔７の内壁を無電解めっきの触媒と成る例えばパラジウムの水溶液中に浸漬して絶縁層２の表面と貫通孔７の内壁に触媒を被着させ、さらに、絶縁層２の表面と貫通孔７の内壁を硫酸銅・ロッセル塩・ホルマリン・ＥＤＴＡナトリウム塩・安定剤等から成る無電解めっき液に約３０分間浸漬して、数μｍの無電解銅めっき膜を析出させる。そして次に、絶縁層２の表面に耐めっき樹脂層をラミネートし露光と現像により薄膜導体と成る所定の配線パターンを形成し、しかる後に、硫酸・硫酸銅５水和物・塩素・光沢剤等から成る電解銅めっき液に数Ａ／ｄｍ２の電流を印加しながら数時間浸漬することにより貫通導体８が貫通孔６の内壁や内部に薄膜導体が形成される。さらに、水酸化ナトリウム水溶液に浸漬し感光性ドライフィルムレジストを剥離し、しかる後、硫酸・過酸化水素水溶液で剥離した耐めっき樹脂層下の無電解銅めっき膜表面をエッチングすることにより、絶縁層２の表面にペア信号配線導体３や接地または電源導体層４が形成される。
【００２８】
そして、このようなペア信号配線導体３や接地または電源導体層４・貫通配線８を形成した絶縁層２の上面に、次の絶縁層２を積層するとともに上記と同じ工程を繰り返してペア信号配線導体３や接地または電源導体層４・貫通配線８を形成し、さらにこれを複数回繰り返すことにより絶縁層２が複数層積層される。
【００２９】
また、配線基板の最外層に形成された絶縁層２の表面には、電子部品の高周波信号電極と接続するために、ペア信号配線導体３の一部を用いて成る電子部品接続パッド５が形成されている。さらに、電子部品接続パッド５が形成されている最外層の反対側の最外層には、外部電気回路基板（図示せず）の電極と接続するための外部接続用パッド９が、ペア信号配線導体３の一部を用いて形成されている。
【００３０】
配線基板を電子部品６と強固に接続するためには、電子部品接続パッド５上に形成される導体バンプ１０ａの直径を５０〜２００μｍにする必要がある。従って、電子部品接続パッド５の直径も１００〜２２０μｍにする必要がある。電子部品接続パッド５の直径が１００μｍより小さくなると導体バンプ１０ａとの接続面積が少なくなり、電子部品６の高周波信号電極を強固に接続できなくなる傾向にあり、２２０μｍより大きくなると単位面積当たりの電子部品接続パッド５数が少なくなり、配線基板の多端子化が困難となる傾向にある。
【００３１】
なお、配線基板に電子部品６を実装する際の熱履歴から絶縁層２および電子部品接続パッド５、外部接続パッド９を保護するために、絶縁層２の最外層表面に感光性樹脂から成る耐半田樹脂層１１を被着形成してもよい。また、この場合、耐半田樹脂層１１の電子部品接続パッド５および外部接続パッド９の上部には露光・現像により電子部品接続パッド５と電子部品の高周波信号用電極とを接続する導体バンプ１０ａ用の開口および、外部接続パッド９と外部電気回路基板の電極とを接続する導体バンプ１０ｂ用の開口が形成される。さらに、開口底の電子部品接続パッド５および外部接続パッド９の表面にニッケル・金等の良導電性で耐腐蝕性に優れた金属をめっき法により１〜２０μｍの厚さに被着させておくと、電子部品接続パッド５および外部接続パッド９の表面の酸化腐食を有効に防止できるとともに電子部品接続パッド５と導体バンプ１０ａおよび外部接続パッド９と導体バンプ１０ｂの接続を良好とすることができる。
【００３２】
また、本発明の電子装置は、配線基板表面の電子部品接続パッド５と配線基板に搭載した電子部品６の高周波信号用電極とを導体バンプ１０ａを介して電気的に接続することによって形成される。
【００３３】
なお、電子部品接続パッド５および外部接続パッド９上に被着された耐半田樹脂層１１の開口の形状は円形状であることが望ましく、さらに、それらの径は電子部品接続パッド５側が５０〜３００μｍ、外部接続パッド９側が３００〜９００μｍの範囲とすることが好ましい。
【００３４】
導体バンプ１０ａ・１０ｂは、電子部品接続パッド５と電子部品６の各電極とを、および外部接続パッド９と外部電気回路基板（図示せず）の高周波信号用電極とを電気的に接続する機能を有し、配線基板表面の電子部品接続パッド５および外部接続パッド９上に半田等の金属により形成されている。このような導体バンプ１０ａ・１０ｂは、金や鉛−錫・錫−亜鉛・錫−銀−ビスマス等の合金の導電材料から成り、例えば導電材料が鉛−錫から成る半田の場合、鉛−錫から成るぺーストを耐半田樹脂層１１の開口にスクリーン印刷法によって印刷、あるいは鉛−錫から成る半田ボールを耐半田樹脂層１１の開口に載置した後、リフロー炉を通すことによって電子部品接続パッド５および外部接続パッド９上に固着形成される。しかる後、電子部品６を導体バンプ１０ａ上に載置し、リフロー炉を通すことによって電子部品接続パッド５と電子部品６の各回路とが電気的に接続される。なお、電子部品６と配線基板表面との間に、熱硬化性樹脂とフィラーとから成るアンダーフィル材１２を注入することによって、導体バンプ１０ａが保護されるとともに電子部品６が配線基板に強固に固着される。
【００３５】
かくして、本発明の電子装置によれば、上記の配線基板に電子部品６を実装するとともに、配線基板の電子部品接続パッド５と電子部品６の電極とを半田を介して電気的に接続して成ることから、特性インピーダンスを安定させることができるとともに高密度配線が可能な電子装置とすることができる。
【００３６】
なお、本発明の配線基板および電子装置は上述の実施例に限定されるものではなく、本発明の要旨を逸脱しない範囲であれば種々の変更は可能であることは言うまでもない。
【００３７】
【実施例】
本発明の配線基板の特性インピーダンスを評価するために、以下に説明するような配線基板を製作し、ＴＤＲ（タイム・ドメイン・リフレクトメトリ）測定を行なった。ＴＤＲ測定法とは、ステップジェネレータおよびオシロスコープを使用し、ステップジェネレータにより外部接続パッドに急峻なエッジをもつ信号（入射波）を送り、送りこまれた信号は伝送ラインの伝搬速度で信号配線上および貫通導体を伝わり、入射波の一部が反射され、この入射波と反射波の電圧をオシロスコープにてモニタすることにより外部接続パッドの特性インピーダンス（Ｚｏ値）を測定する方法である。
【００３８】
まず、エポキシ樹脂と熱可塑性樹脂・エラストマー・無機絶縁性フィラーに溶剤等を添加した混合物を混練して液状ワニスを得、この液状ワニスをポリエチレンテレフタレート（ＰＥＴ）製離型シート上に塗布し、６０〜１００℃の温度で乾燥することにより、厚みが１０〜１３０μｍのフィルム状に成形して、接地導体層を被着した絶縁基板主面に厚みが５０〜１３０μｍのフィルムをラミネートすることにより積層した後、１５０〜１８０℃で熱硬化を行なって一方の絶縁層を形成した。次に、その絶縁層に炭酸ガスレーザやＹＡＧレーザ・ＵＶレーザ等の従来周知のレーザを用いて直径が５０μｍ程度の貫通孔を形成した後、絶縁層の表面および貫通孔内壁を過マンガン酸塩類水溶液等の粗化液に浸漬して粗化する。次に、絶縁層２の表面および貫通孔内壁に銅めっき膜を被着することにより幅が２０〜４０μｍのペア信号配線導体および貫通導体が形成される。さらに、これらに厚みが１０〜５０μｍのフィルムをラミネートすることにより積層した後、１５０〜１８０℃で熱硬化を行なって他方の絶縁層を形成した。他方の絶縁層上に接地導体層を被着した。これらを繰返すことにより、配線基板を製作した。
【００３９】
ここで、ペア信号配線導体の幅Ｗと一方の絶縁層の厚みＴ１・他方の絶縁層の厚みＴ２・ペア信号配線導体の配線間隔Ｓ・特性インピーダンス値との関係を表１に示す。
【００４０】
【表１】
2004241496.tif 000003
【００４１】
表１に示すように、絶縁層２の誘電率Ｅｒが３．５〜４．５の範囲、ペア信号配線導体の幅Ｗが２０〜４０μｍの範囲において、ペア信号配線導体３と接地または電源導体層４との間の絶縁層２は、その一方の厚みＴ１をペア信号配線導体の幅Ｗの３倍以上にするとともに他方の厚みＴ２をペア信号配線導体の幅Ｗと同等にし、かつペア信号配線導体の配線間隔Ｓをペア信号配線導体の幅Ｗ以下にすることにより、外部接続パッド８の特性インピーダンスの値を５０Ω±１０％の範囲内とすることができた。
【００４２】
【発明の効果】
本発明の配線基板および電子装置によれば、ペア信号配線導体と接地または電源導体層との間の絶縁層は、その一方の厚みがペア信号配線導体の幅の３倍以上であるとともに他方の厚みがペア信号配線導体の幅と同等であり、かつペア信号配線導体の間隔をペア信号配線導体の幅以下としたことから、ペア信号配線導体と接地または電源導体層およびペア信号配線導体同士のキャパシタンスを制御して、ペア信号配線導体の特性インピーダンスを５０Ω±１０％の範囲に制御するとともにペア信号配線導体の配線間隔が狭くできるので高密度配線が可能な配線基板および電子装置とすることができる。
【図面の簡単な説明】
【図１】本発明の配線基板に電子部品を搭載して成る電子装置の実施の形態の一例を示す断面図である。
【図２】図１に示す配線基板の要部拡大断面図である。
【符号の説明】
１・・・・・・・絶縁基板
２・・・・・・・絶縁層
３・・・・・・・ペアー信号配線導体
４・・・・・・・接地または電源導体層
５・・・・・・・電子部品接続パッド
６・・・・・・・電子部品
Ｗ・・・・・・・ペアー信号配線導体の配線幅
Ｔ・・・・・・・絶縁層の厚み
Ｓ・・・・・・・ペアー信号配線導体の配線間隔
【図１】
2004241496.tif 000004
【図２】
2004241496.tif 000005